(57)【要約】      （修正有）【課題】流体中の不純物を高い効率で除去できる磁気処理装置を提供する。【解決手段】導管１の周囲に軸Ｏに沿って、２つの半円弧状磁石２１、２２、３１、３２を組み合わせて形成したリング状の磁化部材２０、３０を並設して流体に磁気を作用させる磁気処理装置１０である。磁気処理装置１０は、磁化部材２０、３０を構成する２つの半円弧状磁石２１、２２、３１、３２の円弧両端に位置する接合端部は互いに異なる磁極を備えおり、磁化部材２０、３０を配置するに際して、半円弧状磁石２１、２２、３１、３２の、隣接する軸方向の端面部が同じ磁極を備える。また、磁気処理装置１０は、カバー部材を備える。これにより、磁気処理装置１０は、流体中の不純物を高い効率で除去する。【選択図】図１
0003209096.tif 000002
【実用新案登録請求の範囲】
【請求項１】
流体が流通する導管の周囲に前記導管の軸に沿って、２つの半円弧状磁石を組み合わせて形成したリング状の磁化部材を複数並設して前記流体に磁気を作用させる磁気処理装置であって、
１つの磁化部材を構成する２つの前記半円弧状磁石の円弧両端に位置する接合端部は互いに異なる磁極を備え、
前記磁化部材を配置するに際して、前記半円弧状磁石の、隣接する軸方向の端面部が同じ磁極を備えることを特徴とする磁気処理装置。
【請求項２】
隣接する複数の前記磁化部材は、互いに接触して又は間隔を開けて配置されていることを特徴とする請求項１に記載の磁気処理装置。
【請求項３】
複数の前記磁化部材の周囲を覆うカバー部材を備えることを特徴とする請求項１又は請求項２に記載の磁気処理装置。
【請求項４】
前記カバー部材は、前記導管が挿通可能である円筒部材を、前記軸を含む平面で２分割して形成されると共に、それぞれ前記半円弧状磁石を複数個並設可能な半円筒カバー部材と、前記半円筒カバー部材を母線において拡開可能に結合するヒンジ部と、閉状態とした２つの前記半円筒カバー部材を固定する係止部とを備えることを特徴とする請求項３に記載の磁気処理装置。
【請求項５】
前記係止部が、一方の前記半円筒カバー部材に配置され係合孔部が形成された受部材と、他方の前記半円筒カバー部材に配置され前記係合孔部に挿入され、両半円筒カバー部材を固定する挿入部材とから構成され、
更に、前記係合孔部を覆い前記挿入部材の挿入を禁止する被覆部材を備えることを特徴とする請求項４に記載の磁気処理装置。
【考案の詳細な説明】
【技術分野】
【０００１】
本考案は、導管の周囲に配置して導管を流れる流体を磁気処理する磁気処理装置に関する。
【背景技術】
【０００２】
磁石を用いて導管中の流体を磁気処理する装置として様々なものが提案されている。これらの磁気処理装置は、導管を流れる流体の不純物、例えば水中の炭酸カルシウム等のミネラル分や鉄分を除去して導管内のスケールの発生を防止する。また、水のクラスターを小さく、浸透力や吸収性が向上するとも言われている。従来提案されている磁気処理装置は、水力磁石のＮ極とＳ極の間に存在する磁力線を直角に速度をもって横切るとき、ローレンツ力によって起電力が生じる磁性流体力学に基づいて不純物を除去する。このため、磁気処理装置では異極間にある磁力線が導管に対して直角に横切るように構成されている。
【０００３】
特許文献１には、磁気処理装置へ供給する水の流入口の面積の数分の一から数十分の一の小面積の複数の分流流入口を有する流入口分流部を設け、分流流入口に接続した複数の細管を対向異極同士の磁石で挟み、流入した水が抵抗なく異極磁石間による強磁力で且つ多量の磁力線を横切る磁気処理装置が記載されている。
【０００４】
特許文献２には、導管の外周部分に着脱可能に取付けられる磁石保持体と、この磁石保持体に収納される磁石と、を具備してなり、前記磁石保持体に、前記導管の外周部分に沿って複数の磁石を防水可能に収納する磁石収納空間を設けて構成した磁気処理装置が記載されている。
【０００５】
特許文献１及び特許文献２に記載の磁気処理装置は、磁気による不純物の除去効率が良好ではないという問題がある。これに対処するため、出願人は特許文献３に係る考案を提案している。これは、内部に流体が流通する導管が貫通可能な孔部を備える２個のリング状磁石を備え、流体に磁気を作用させる磁気処理装置として、２つのリング状磁石が、それぞれ対向する端面部を同一の磁極を有するように配置したものである。
【先行技術文献】
【特許文献】
【０００６】
【特許文献１】特開２００７−６９１９２号公報
【特許文献２】実登３０９１７７０号公報
【特許文献３】実登３２０５０２１号公報
【考案の概要】
【考案が解決しようとする課題】
【０００７】
特許文献３に記載の磁気処理装置によれば、流体が隣接するリング状磁石の対向する同極である磁力により活性化され、流体中の不純物が高い効率で除去されて導管のスケールの発生を防止できる。しかし、更に流体に更に効率よく磁力を作用させたいという要望がある。
【０００８】
本考案は、上述した課題に鑑みてなされたものであり、流体中の不純物を高い効率で除去できる磁気処理装置を提供することを目的とする。
【課題を解決するための手段】
【０００９】
前記課題を解決する請求項１に記載の考案は、流体が流通する導管の周囲に前記導管の軸に沿って、２つの半円弧状磁石を組み合わせて形成したリング状の磁化部材を複数並設して前記流体に磁気を作用させる磁気処理装置であって、１つの磁化部材を構成する２つの前記半円弧状磁石の円弧両端に位置する接合端部は互いに異なる磁極を備え、前記磁化部材を配置するに際して、前記半円弧状磁石の、隣接する軸方向の端面部が同じ磁極を備えることを特徴とする。
本考案によれば、リング状の磁化部材を２つの半円弧状磁石を組み合わせて形成し、これを複数並設して前記流体に磁気を作用させるに際して、１つの磁化部材を構成する２つの前記半円弧状磁石の円弧両端に位置する接合端部は互いに異なる磁極を備え、前記磁化部材を配置するに際して、前記半円弧状磁石の、隣接する軸方向の端面部が同じ磁極を備える。このため、流体中に磁力線が侵入して流体が磁力により良好に活性化され、流体中の不純物が高い効率で除去される。
【００１０】
同じく請求項２に記載の考案は、隣接する複数の前記磁化部材は、互いに接触して又は間隔を開けて配置されていることを特徴とする。
本考案によれば、半弧状磁石を組み合わせた複数のリング状の磁化部材の接触部又は近接部に対応する導管内の磁束密度が増加して流体に作用し、流体中が活性化して不純物が除去される。また、前記複数のリング状磁石を、間隔を開けて配置すると、磁石同士の反発力が緩和され、複数のリング状磁石の組み付け性が良好になる。
【００１１】
同じく請求項３に記載の考案は、複数の前記磁化部材の周囲を覆うカバー部材を備えることを特徴とする。
本考案によれば、半円弧状磁石を組み合わせた複数のリング状の磁化部材はカバー部材で覆われる。よって、半弧状の磁石を組み併せたリング状磁石を導管に確実に保持できる他、磁化部材の破損等を防止できる。
【００１２】
同じく請求項４に記載の考案は、前記カバー部材は、前記導管が挿通可能である円筒部材を、前記軸を含む平面で２分割して形成されると共に、それぞれ前記半円弧状磁石を複数個並設可能な半円筒カバー部材と、前記半円筒カバー部材を母線において拡開可能に結合するヒンジ部と、閉状態とした２つの前記半円筒カバー部材を固定する係止部とを備えることを特徴とする。
本考案によれば、２つの半円筒カバー部材はヒンジ部と係止部とを備える。よって、２つの半円筒カバー部材を拡開した状態で導管に取付け、半円筒カバー部材を閉状態として係止部で係止できる。よって、カバー部材を備える磁気処理装置を導管に容易に取付けることができる。
【００１３】
同じく請求項５に記載の考案は、前記係止部が、一方の前記半円筒カバー部材に配置され係合孔部が形成された受部材と、他方の前記半円筒カバー部材に配置され前記係合孔部に挿入され、両半円筒カバー部材を固定する挿入部材とから構成され、更に、前記係合孔部を覆い前記挿入部材の挿入を禁止する被覆部材を備えることを特徴とする。
本考案によれば、磁気処理装置を導管に取付ける際、被覆部材を受部材に装着しておけば、係合孔部への挿入部材の進入が禁止される。
よって、磁石の吸引力により２つの半円筒カバー部材が引きつけられ急に閉まり、使用者の指等を挟んでしまうことを防止できる。
【考案の効果】
【００１４】
本考案に係る磁気処理装置によれば、導管を流れる流体が活性化され、流体中の不純物を高い効率で除去できる。
【００１５】
即ち、請求項１に記載の考案によれば、リング状の磁化部材を２つの半円弧状磁石を組み合わせて形成し、これを複数並設して前記流体に磁気を作用させるに際して、１つの磁化部材を構成する２つの前記半円弧状磁石の円弧両端に位置する接合端部は互いに異なる磁極を備え、前記磁化部材を配置するに際して、前記半円弧状磁石の、隣接する軸方向の端面部が同じ磁極を備えるので、流体中に磁力線が侵入して流体が磁力により良好に活性化され、流体中の不純物が高い効率で除去される。
【００１６】
また、請求項２に記載の考案によれば、半弧状磁石を組み合わせた複数のリング状の磁化部材における接触部又は近接部に対応する導管内の磁束密度が増加して流体に作用し、流体中が活性化して不純物が除去され、また、前記複数のリング状磁石を、間隔を開けて配置すると、磁石同士の反発力が緩和され、複数のリング状磁石の組み付け性が良好になる。
【００１７】
また、請求項３に記載の考案によれば、半円弧状磁石を組み合わせた複数のリング状の磁化部材はカバー部材で覆われるので、半弧状の磁石を組み併せたリング状磁石を導管に確実に保持できる他、磁化部材の破損等を防止できる。
【００１８】
また、請求項４に記載の考案によれば、２つの半円筒カバー部材はヒンジ部と係止部とを備える。よって、２つの半円筒カバー部材を拡開した状態で導管に取付け、半円筒カバー部材を閉状態として係止部で係止できので、カバー部材を備える磁気処理装置を導管に容易に取付けることができる。
【００１９】
そして、請求項５に記載の考案によれば、磁気処理装置を導管に取付ける際、被覆部材を受部材に装着しておけば、係合孔部への挿入部材の進入が禁止されるので、磁石の吸引力により２つの半円筒カバー部材が引きつけられ急に閉まり、使用者の指等を挟んでしまうことを防止できる。
【図面の簡単な説明】
【００２０】
【図１】本考案の第１実施形態に係る磁気処理装置を示す斜視図である。
【図２】同磁気処理装置を示すものであり、（ａ）は導管の上側面に沿った磁力の強さを示すグラフ、（ｂ）は側面模式図、（ｃ）は管の下側面に沿った磁力の強さを示すグラフである。
【図３】同磁気処理装置に使用するカバー部材と被覆部材とを示すものであり、（ａ）はカバー部材と被覆部材とを示す斜視図、（ｂ）は被覆部材を示す（ａ）中のＢ−Ｂ線に相当する断面図である。
【図４】本考案の第２実施形態に係る磁気処理装置を示す模式図である。
【考案を実施するための形態】
【００２１】
本考案を実施するための形態に係る磁気処理装置について説明する。
【００２２】
＜第１実施形態＞
図１は本考案の第１実施形態に係る磁気処理装置を示す斜視図、図２は同磁気処理装置を示すものであり、（ａ）は導管の上側面に沿った磁力の強さを示すグラフ、（ｂ）は側面模式図、（ｃ）は管の下側面に沿った磁力の強さを示すグラフである。
【００２３】
本実施形態に係る磁気処理装置１０は、図１に示すように、複数、本例では２個のリング状の磁化部材２０、３０を備える。磁化部材２０、３０は、軸Ｏに沿って所定の間隔を隔てて配置される。各磁化部材２０、３０は、それぞれ軸Ｏに沿って導管１が貫通可能な孔部２０ａ、３０ａを備える。本例では、導管１には水を流す（図中矢印Ａで示した）ものであり、導管１の流入側から流出側に向けて、磁化部材２０、磁化部材３０を記載の順に配置している。磁化部材２０及び磁化部材３０には、カバー部材５０を被覆して使用する。カバー部材５０については後述する。
【００２４】
磁化部材２０は、２つの半円弧状磁石２１、２２を組み合わせて構成される。磁化部材３０は２つの半円弧状磁石３１、３２を組み合わせて構成される。半円弧状磁石２１、２２、３１、３２は、軸方向に磁極を形成した市販のリング状磁石を、軸を含む平面を切断面として半分に切断して形成することができる。
【００２５】
本実施形態において、磁化部材２０を構成する２つの半円弧状磁石２１、２２の円弧両端に位置する接合端部は互いに異なる磁極を備える。また、磁化部材３０を構成する２つの半円弧状磁石３１、３２の円弧両端に位置する接合端部は互いに異なる磁極を備える。また、磁化部材２０、３０を配置するに際して、半円弧状磁石２１、２２、３１、３２の、隣接する軸方向の端面部は、同じ磁極を備える。
【００２６】
即ち、半円弧状磁石２１は、軸Ｏに垂直な２つの端面部２１ａ、２１ｂが異なる磁極を備える。なお、端面部２１ａを上流側、端面部２１ｂを下流側とする。本実施形態では、端面部２１ａがＳ極、端面部２１ｂがＮ極をなす。同様に、半円弧状磁石２２の端面部２２ａがＮ極、端面部２２ｂがＳ極をなす。更に、半円弧状磁石３１は、端面部３１ａがＮ極、端面部３１ｂがＳ極をなす。同様に、半円弧状磁石３２の端面部３２ａがＳ極、端面部３２ｂがＮ極をなす。
【００２７】
従って、磁気処理装置１０において、隣り合う半円弧状磁石２１の端面部２１ｂと半円弧状磁石３１の端面部３１ａは、同じＮ極であり、同様に半円弧状磁石２２の端面部２２ｂと半円弧状磁石３２の端面部３２ａは、同じＳ極である。
【００２８】
また、磁化部材２０を構成する半円弧状磁石２１と、半円弧状磁石２２とが接合される接合端部は、図１及び図２（ｂ）に示すように、異なる磁極が対向するように配置される。本実施形態において、半円弧状磁石２１、２２、３１、３２は、それぞれ外径５５ｍｍ、内径２４ｍｍ、厚さ１２ｍｍのものであり、表面磁束密度１２００Ｇのフェライト異方性磁石を切断したものを用いた。また、間隔１１を９ｍｍとした。なお、測定はカバー部材５０を装着した磁気処理装置１０で行った。
【００２９】
本実施形態では、半円弧状磁石２１と半円弧状磁石３１の間に２つのＳ極による高い磁束密度、即ち反発力が生じる箇所を発生させることができる。同様に半円弧状磁石２２と半円弧状磁石３２の間に２つのＮ極による高い磁束密度、即ち反発力が生じる箇所を発生させることができる。
【００３０】
本実施形態に係る磁気処理装置１０において、導管１の軸に沿って磁束密度の分布を測定した結果を図２（ａ）、（ｃ）に示す。図２（ａ）に示した結果は、導管１の上側（半円弧状磁石２１、半円弧状磁石３１側）に沿って、同（ｃ）に示した結果は導管１の下側（半円弧状磁石２２、半円弧状磁石３２側）に沿って計測したものである。
【００３１】
図２（ａ）に示すように、半円弧状磁石２１、半円弧状磁石３１の近接部（ｘ＝０）において、１４５０Ｇ、端面部２１ａ付近でＮ６５０Ｇ，端面部３１ｂ付近でＮ７００Ｇであった。同様に、図２（ｃ）に示すように、半円弧状磁石２２、半円弧状磁石３２の近接部（ｘ＝０）において、Ｎ１４００Ｇ、端面部２２ａ付近でＳ６５０Ｇ，端面部３２ｂ付近でＳ７５０Ｇであった。
【００３２】
第２の測定例では半円弧状磁石２１、半円弧状磁石３１の近接部（ｘ＝０）において、１３００Ｇ、端面部２１ａ付近でＮ５００Ｇ，端面部３１ｂ付近でＮ６００Ｇ、半円弧状磁石２２、半円弧状磁石３２の近接部（ｘ＝０）において、Ｎ１２００Ｇ、端面部２２ａ付近でＳ６００Ｇ、端面部３２ｂ付近でＳ６００Ｇであった。以上のように、本実施形態に係る磁気処理装置１０では、導管１内の水に高い磁力を作用させることができる。
【００３３】
なお、第２の測定例では、水の溶融酸素を測定した。磁気処理前の水は、摂氏１０度において１２．３ｍｇ／リットル、摂氏３０度において７．３ｍｇ／リットルであった。一方、磁気処理を行った水は、摂氏１０度において１２．７ｍｇ／リットル、摂氏３０度において７．５ｍｇ／リットルであり、溶融酸素が向上した。この磁気処理を行った水を植物に与えることで生育促進が期待できる。
【００３４】
以上の構成の磁気処理装置１０を使用しない導管１と、磁気処理装置１０を配置した導管１とで、水道水を流した場合におけるスケール等の付着状態を比較した。地下３ｍからわき出る地下水をそのままポンプで散水した。６ヶ月後、ポンプ内のバルブに赤錆が詰まり、６ヶ月でポンプが動作しなくなった。これに対して、同じ条件でポンプの前の導管に実施形態の磁気処理装置１０を使用した。この場合、ポンプの空圧バルブに赤錆は詰まらず、ポンプから先に配置したパイプには赤錆を付着していなかった。
【００３５】
また、磁気処理装置１０は、水道蛇口の下流側に配置することができる。このようにして、磁気処理装置１０で処理した水を飲用や炊事に使用することができ、例えばコーヒー、茶等をおいしくすると言われている。また、磁気処理装置１０で処理した水を浴槽への導管にしたり、シャワーの導管に取付けたりすると、身体が温まりやすいとされる。特にシャワーから磁気処理装置１０で処理した４０度Ｃ程度の温水を、所定の時間をかけて（１８〜２０分）浴槽にためゆっくり入浴すると、浴室も暖まり、身体の保温に効果的である。更に、磁気処理装置１０で処理した水を植物に使用するとよいとされる。例えば生花に使用すると長持ちする他、野菜に散水することにより成長を促進するとの報告がある。
【００３６】
次にカバー部材５０について説明する。図３は同磁気処理装置に使用するカバー部材と被覆部材とを示すものであり、（ａ）はカバー部材と被覆部材とを示す斜視図、（ｂ）は被覆部材を示す（ａ）中のＢ−Ｂ線に相当する断面図である。
【００３７】
カバー部材５０は、合成樹脂製例えばポリプロピレン等の成型品であり、導管１を挿入可能な有底の円筒部材を、軸Ｏを含む平面で２分割して形成された２つの半円筒カバー部材５１、５２を組み合わせて形成する。図中上側に配置された半円筒カバー部材５１は、外周壁５１Ａと、図中前後方向に配置される２つの底壁５１Ｂ（奥側の底壁は図にあらわれていない）とからなる。底壁５１Ｂには、孔状の接着部５１ｃが開設されている。また、図中下側に配置された半円筒カバー部材５２は、外周壁５２Ａと、図中前後方向に配置される２つの底壁５２Ｂ（奥側の底壁は図にあらわれていない）とからなる。底壁５２Ｂには、孔状の接着部５２ｃが開設されている。
【００３８】
半円筒カバー部材５１には、半円弧状磁石２１、３１を収納する収納凹部５１ａ、５１ｂを備え、他方（図３（ａ）中上方）の半円筒カバー部材５２は半円弧状磁石２２、３２を収納する収納凹部５２ａ、５２ｂを備える。半円弧状磁石２１、２２、３１、３３を配置した状態で、半円筒カバー部材５１、半円筒カバー部材５２を閉状態とすると、半円弧状磁石２１と半円弧状磁石２２、半円弧状磁石３１と半円弧状磁石３２が接合され、カバー部材５０の内部に磁化部材２０、磁化部材３０が配置された状態となる。
【００３９】
２つの半円筒カバー部材５１、５２は、母線において半円筒カバー部材５１、５２を拡開可能に結合するヒンジ部５３と、閉状態とした２つの半円筒カバー部材５１を固定する係止部５４とを備える。２つの半円筒カバー部材５１、５２には、それぞれ導管１の貫通部が形成されており、導管１を半円筒カバー部材５１、５２で挟み込むことができる。
【００４０】
係止部５４は、半円筒カバー部材５１の母線に設けたヒンジ部５３で開閉可能である。また、半円筒カバー部材５１及び半円筒カバー部材５２には、閉状態としたとき半円筒カバー部材５１及び半円筒カバー部材５２を固定する係止部５４を備える。係止部５４は、半円筒カバー部材５１に設けた係止孔部５５と、半円筒カバー部材５２に設けた挿入部材５６とからなる。挿入部材５６は、係止孔部５５は弾性を有する挿入部５６ａと、つまみ部５６ｂを備え挿入部５６ａの基部には係止凹部５６ｃが形成されている。
【００４１】
係止孔部５５は枠部５５ａを備え、この枠部５５ａは係止孔５５ｂを囲っている。半円筒カバー部材５１と半円筒カバー部材５２を閉状態にして、備え挿入部５６ａを係止孔５５ｂに挿入して、枠部５５ａに係止凹部５６ｃを引っかけることにより、半円筒カバー部材５１と半円筒カバー部材５２を閉状態に固定することができる。
【００４２】
なお、半円筒カバー部材５１において収納凹部５１ａと隣接する収納凹部５１ｂとの間には隔壁５７が配置されている。同様に半円筒カバー部材５２において、収納凹部５２ａと隣接する収納凹部５２ｂとの間には隔壁５８が配置されている。隔壁５７及び隔壁５８の厚さ寸法は９ｍｍであり、半円筒カバー部材５１に収納される半円弧状磁石２１、２２はこの厚さ寸法だけ離間して配置され、同様に半円筒カバー部材５２に収納される半円弧状磁石３１、３２は同じ寸法だけ離間して配置される。なお、隔壁５７、５８には、それぞれ半円筒カバー部材５１、５２の表面に繋がる成型時におけるひけを防止するための連通孔５７ａ、５８ａが形成されている。
【００４３】
本実施形態において、カバー部材５０は、係止孔部５５にはめ込む被覆部材６０を備える。被覆部材６０は、係止孔部５５が挿入可能な挿入孔部６１を備える。なお、符号６２は、被覆部材６０の紛失を防止するため、被覆部材６０をカバー部材５０に保持するための糸状部材を取付けるための孔部である。係止孔部５５に被覆部材６０を配置することで係止孔５５ｂを被覆し、挿入部５６ａの挿入を禁止することができる。半円筒カバー部材５１、５２が拡開している状態においてこの被覆部材６０を係止孔部５５に被せておき、導管１に半円筒カバー部材５１、係止孔部５５を被せて閉状態とする。これにより、半円筒カバー部材５１と半円筒カバー部材５２が勢いをもって閉状態となることを防止する。
【００４４】
本実施形態では、半円弧状磁石２１と半円弧状磁石２２、半円弧状磁石３１と半円弧状磁石３２とは、接合端部が異なる磁極であり、両者が吸引される状態となっている。このため、半円筒カバー部材５１と半円筒カバー部材５２とが急激に閉まってしまい、半円筒カバー部材５１と半円筒カバー部材５２の間に指が挟まってしまう事態が生じる。係止孔５５ｂを被覆部材６０で塞いでおけば、挿入部材５６が被覆部材６０に接触するため、半円筒カバー部材５１と半円筒カバー部材５２とが間を開けて停止し、半円筒カバー部材５１と半円筒カバー部材５２との間に指を挟んでしまう事態を防止できる。
【００４５】
＜第２実施形態＞
次に第２実施形態に係る磁気処理装置１０Ａについて説明する。図４は本考案の第２実施形態に係る磁気処理装置を示す模式図である。本実施形態に係る磁気処理装置１０Ａにおいては、磁化部材２０、３０に加えて磁化部材４０を配置する。磁化部材２０、磁化部材３０の構成は第１実施形態に係る磁気処理装置１０と同一である。
【００４６】
磁化部材４０は２つの半円弧状磁石４１、４２を組み合わせて構成される。磁化部材４０を構成する２つの半円弧状磁石４１、４２の円弧両端に位置する接合端部は互いに異なる磁極を備える。また、磁化部材２０、３０、４０を配置するに際して、半円弧状磁石２１、２２、３１、３２、４１、４２の、隣接する軸方向の端面部は、同じ磁極を備える。
【００４７】
即ち、半円弧状磁石２１の端面部２１ａがＮ極、端面部２１ｂがＳ極をなす。同様に、半円弧状磁石２２の端面部２２ａがＳ極、端面部２２ｂがＮ極をなす。半円弧状磁石３１は、端面部３１ａがＳ極、端面部３１ｂがＮ極をなす。同様に、半円弧状磁石３２の端面部３２ａがＮ極、端面部３２ｂがＳ極をなす。更に、半円弧状磁石４１の端面部４１ａがＮ極、端面部４１ｂがＳ極をなす。同様に、半円弧状磁石４２の端面部４２ａがＳ極、端面部４２ｂがＮ極をなす。
【００４８】
本実施形態において、半円弧状磁石２１、２２、３１、３２は、それぞれ外径５５ｍｍ、内径２４ｍｍ、厚さ１２ｍｍのものであり、表面磁束密度１２００Ｇのフェライト異方性磁石を切断したものを用いた。また、間隔１１を９ｍｍとした。
【００４９】
本実施形態に係る磁気処理装置１０Ａにおいて、導管１の軸に沿って磁束密度の分布を測定した結果は以下の通りである。即ち、半円弧状磁石２１、半円弧状磁石３１の近接部において、Ｓ１３００Ｇ、端面部２１ａ付近でＮ５００Ｇ，端面部３１ｂ付近でＮ１０００Ｇ、半円弧状磁石２２、半円弧状磁石３２の近接部（ｘ＝０）において、Ｎ１２００Ｇ、端面部２２ａ付近で６００Ｇ、端面部３２ｂ付近でＳ１０００Ｇであった。更に、端面部４２ａ付近でＳ１０００Ｇ、端面部４２ｂでＮ８００Ｇ、端面部４１ｂ付近でＳ８００Ｇであった。本実施形態に係る磁気処理装置１０Ａによれば、水への磁気処理を多く施すことができ、更に効率よく磁気処理を行うことができる。
【００５０】
第２の測定例では、水の溶融酸素を測定した。磁化処理前の水は、摂氏１０度において１２．３ｍｇ／リットル、摂氏３０度において７．３ｍｇ／リットルであった。一方、磁気処理を行った水は、摂氏１０度において１２．７ｍｇ／リットル、摂氏３０度において７．５ｍｇ／リットルであり、溶融酸素が向上した。この磁気処理を行った水を植物に与えることで生育促進が期待できる。
【００５１】
なお、上述した各実施形態において、磁気処理装置のカバー部材として上述した例の他、合成樹脂性の熱収縮シートを使用することができる。導管１に磁化部材を配置して構成した磁気処理装置の全体を熱収縮シートで覆って加熱する。これにより、磁気処理装置をカバー部材で覆うことができる。カバー部材により、リング状磁石を導管に確実に保持できる他、リング状磁石の破損等を防止できる。
【００５２】
また、磁気処理装置１０を浄水器に配置された導管に取付ければ、浄水器の水を磁気処理することができる。
【００５３】
なお、上記各実施形態では、磁石としてフェライト磁石、ネオジウム磁石を用いた例を示したが、磁石の種類は問わない。また、磁化部材の個数は適宜変更することができる。
【産業上の利用可能性】
【００５４】
本考案に係る磁気処理装置は、流体中の不純物を高い効率で除去できるので、産業上の利用可能性を有する。
【符号の説明】
【００５５】
１：導管
１０：磁気処理装置
２０：磁化部材
２０ａ：孔部
２１：半円弧状磁石
２１ａ：端面部
２１ｂ：端面部
２２：半円弧状磁石
２２ａ：端面部
２２ｂ：端面部
３０：磁化部材
３０ａ：孔部
３１：半円弧状磁石
３１ａ：端面部
３１ｂ：端面部
３２：半円弧状磁石
３２ａ：端面部
３２ｂ：端面部
３３：半円弧状磁石
５０：カバー部材
５１：半円筒カバー部材
５１Ａ：外周壁
５１Ｂ：底壁
５１ａ：収納凹部
５１ｂ：収納凹部
５１ｃ：接着部
５２：半円筒カバー部材
５２ａ：収納凹部
５２ｂ：収納凹部
５２ｃ：接着部
５３：ヒンジ部
５４：係止部
５５：係止孔部
５５ａ：枠部
５５ｂ：係止孔
５６：挿入部材
５６ａ：挿入部
５６ｃ：係止凹部
【図１】
0003209096.tif 000003
【図２】
0003209096.tif 000004
【図３】
0003209096.tif 000005
【図４】
0003209096.tif 000006